(57)【特許請求の範囲】
【請求項１】
室外機側の冷媒配管と、離間して水平に配置された複数の室内機側の分岐冷媒配管と、前記冷媒配管から複数の前記分岐冷媒配管に冷媒を分岐する分岐部と、前記分岐部を収納し、前記冷媒配管と前記分岐冷媒配管とを向かい合う室外機側側面と室内機側面からそれぞれ引き出す本体部と、複数の前記分岐冷媒配管が水平に配置される方向と平行に前記本体部に取り付けられる電装品箱とからなる冷媒分岐ユニットにおいて、
前記分岐冷媒配管は、直線状に形成された分岐ガス管と、前記本体部内で前記分岐ガス管と束ねられた分岐液管とで構成され、前記分岐ガス管と前記分岐液管は所定の距離を離して平行になるように前記本体部から引き出され、前記分岐ガス管と前記分岐液管はそれぞれ室内機側に継手部を備え、前記分岐ガス管の継手部と前記分岐液管の継手部は所定の距離を離して重ならないように配置され、複数の前記分岐冷媒配管のうち隣合う前記分岐ガス管は前記電装品箱に近接する側から順次長さを長くして並列に配置され、、同様に複数の前記分岐冷媒配管のうち隣合う前記分岐液管も前記電装品箱に近接する側から順次長さを長くして並列に配置されたことを特徴とする空気調和機の冷媒分岐ユニット。
【発明の詳細な説明】
【技術分野】
【０００１】
本発明は、室外機から複数の室内機へ冷媒を分配する空気調和機の冷媒分岐ユニットで、特に施工時の作業性の向上に関するものである。
【背景技術】
【０００２】
空気調和機の室外機から複数の室内機へ冷媒を分岐する冷媒分岐ユニットは、例えば従来例として特許文献１に示すように、室外機側の冷媒配管と、複数の室内機側の分岐冷媒配管と、冷媒配管から複数の分岐冷媒配管に冷媒を分岐する分岐部と、分岐部を収納し、冷媒配管と分岐冷媒配管を向かい合う側面からそれぞれ引き出す本体部とからなる。
冷媒配管および分岐冷媒配管は、それぞれガス管と液管で構成され、分岐冷媒配管のガス管と液管は、本体部から室内機側に離れていくにしたがって互いの距離が上下方向に離れていく室内機側隔離部分が形成されている。そして、この室内機側隔離部分と分岐部との間にはガス管と液管とのそれぞれを一体化させるように取り巻くゴム状のゴムブッシュが設けられている。
さらに、分岐冷媒配管は、分岐ユニットの設置に対する水平方向に配列されているため、各分岐冷媒配管が同様の高さに設けられる構造となり、分岐ユニットが高所に設けられる場合であっても、メンテナンスを行う作業者が容易に操作できるようになる。また、各分岐ユニットの施工工程において、フレア接続の作業を行いやすくすることができる。
【先行技術文献】
【特許文献】
【０００３】
【特許文献１】特開２００６−３００３８１号公報（８頁、図５）
【発明の概要】
【発明が解決しようとする課題】
【０００４】
しかし、従来例は、分岐冷媒配管の隣合うガス管および液管の長さが等しいため、分岐ユニットを障害物のない場所に取り付ける場合は作業を行いやすい構成であるが、取付場所の制限により、冷媒分岐ユニットを壁の手前に取り付ける場合や、分岐冷媒配管が垂直方向に配列されるように縦置きした場合は、隣合うガス管および液管の長さが等しいため、奥側に位置するガス管および液管が手前のガス管および液管によりスパナを回すスペースが妨げられて作業が困難となる。
【０００５】
本発明は、上記問題点に鑑み、冷媒分岐ユニットを制限のある場所に取り付ける場合でも、冷媒配管の施工作業が容易になる冷媒分岐ユニットを提供することを目的とする。
【課題を解決するための手段】
【０００６】
本発明は、室外機側の冷媒配管と、離間して水平に配置された複数の室内機側の分岐冷媒配管と、前記冷媒配管から複数の前記分岐冷媒配管に冷媒を分岐する分岐部と、前記分岐部を収納し、前記冷媒配管と前記分岐冷媒配管とを向かい合う室外機側側面と室内機側面からそれぞれ引き出す本体部と、複数の前記分岐冷媒配管が水平に配置される方向と平行に前記本体部に取り付けられる電装品箱とからなる冷媒分岐ユニットにおいて、
前記分岐冷媒配管は、直線状に形成された分岐ガス管と、前記本体部内で前記分岐ガス管と束ねられた分岐液管とで構成され、前記分岐ガス管と前記分岐液管は所定の距離を離して平行になるように前記本体部から引き出され、前記分岐ガス管と前記分岐液管はそれぞれ室内機側に継手部を備え、前記分岐ガス管の継手部と前記分岐液管の継手部は所定の距離を離して重ならないように配置され、複数の前記分岐冷媒配管のうち隣合う前記分岐ガス管は前記電装品箱に近接する側から順次長さを長くして並列に配置され、同様に複数の前記分岐冷媒配管のうち隣合う前記分岐液管も前記電装品箱に近接する側から順次長さを長くして並列に配置されたことにより、工具を回しやすくなり、冷媒配管の施工作業が容易になるものである。
【発明の効果】
【０００８】
本発明によれば、冷媒分岐ユニットを制限のある場所に取り付ける場合でも、冷媒配管の施工作業が容易になる冷媒分岐ユニットとなる。
【図面の簡単な説明】
【０００９】
【図１】本発明の空気調和機の概略構成図である。
【図２】本発明の冷媒分岐ユニットの斜視図である。
【図３】本発明の冷媒分岐ユニットの分解図である。
【図４】本発明の冷媒分岐ユニットの断面図である。
【図５】本発明の冷媒分岐ユニットの内部構成図である。
【図６】本発明の冷媒分岐ユニットの下部ケースおよび電装品箱分解図である。
【図７】本発明の冷媒分岐ユニットの配管受入部詳細図である。
【図８】本発明の冷媒分岐ユニットで図３のＡ−Ａ端面図である。
【図９】本発明の冷媒分岐ユニットで図３のＢ−Ｂ端面図である。
【図１０】本発明の冷媒分岐ユニットで電装品箱を室外機側から見て右側面に取り付け、下部ケースをはずした状態の図で、（Ａ）は下から見上げた状態で、（Ｂ）は底面図である。
【図１１】本発明の冷媒分岐ユニットで電装品箱を室外機側から見て左側面に取り付け、下部ケースをはずした状態の図で、（Ａ）は下から見上げた状態で、（Ｂ）は底面図である。
【図１２】本発明の冷媒分岐ユニットを縦置きにした状態の図で、（Ａ）は斜視図、（Ｂ）は正面図である。
【発明を実施するための形態】
【００１０】
以下、本発明を実施するための形態を、添付図面に基づいた実施例として詳細に説明する。
【実施例１】
【００１１】
＜空気調和機＞
図１の空気調和機１は、１台の室外機１１と、複数の室内機１２、１３、１４を備えている。
室外機１１は、室外熱交換器、圧縮機、四方弁等の冷媒回路の一部と、室外熱交換器内の冷媒と外気との熱交換を行うために空気を流れさせるファン、このファンを駆動するためのファンモータ、装置の制御を行う制御回路（いずれも図示せず）などを内蔵している。
室内機１２、１３、１４は、それぞれ室内熱交換器等の冷媒回路の一部と、室内熱交換器内の冷媒と室内空気との熱交換を行うために空気を流れさせるファン、このファンを駆動するためのファンモータ、装置の制御を行う制御回路（いずれも図示せず）などを内蔵している。
室外機１１内の冷媒回路と、室内機１２、１３、１４内の冷媒回路とは、室外機側配管１１０および室内機側配管１２０、１３０、１４０を介して接続されており、室外機側配管１１０から室内機側配管１２０、１３０、１４０に冷媒を均等に分岐するための冷媒分岐ユニット１５が室外機１１と室内機１２、１３、１４の間に設置されている。
【００１２】
＜冷媒分岐ユニット＞
図２の冷媒分岐ユニット１５は、室外機側配管１１０と、室内側配管１２０、１３０、１４０をそれぞれ接続して、分岐する配管ユニット２と、配管ユニット２を収納する本体部１５０と、配管ユニット２の電気部品を制御する制御部を備えた電装品箱３とから構成されている。
【００１３】
冷媒分岐ユニット１５は、天吊金具６２によって屋内の天井裏などに水平状に天吊固定されている。そして、高温多湿となりやすい天井裏の環境に対応するため、特に本体部１５０内部は、温度変化の影響を受けないように断熱性を有するとともに、湿度の影響を受けないように密閉された構成にしている。
【００１４】
図２、図３、図４の配管ユニット２は、室外機側配管１１０に接続される冷媒配管２１と、本体部１５０に収納される分岐部２５と、室内機側配管１２０、１３０、１４０にそれぞれ接続される分岐冷媒配管２２、２３、２４で構成されている。
【００１５】
冷媒配管２１は、ガス管２１０と液管２１１とからなる。ガス管２１０は分岐ユニット１５の近傍でガス管継手部２１２を備え、液管２１１は分岐ユニット３の近傍で液管継手部２１３を備え、ガス管継手部２１２および液管継手部２１３によって、室外機側配管１１０との接続または取り外しが可能となる。
ガス管２１０と液管２１１とは、互いに４０ｍｍ以上離間した状態で水平に配列されて冷媒配管受入部１５１から本体部１５０に収納される。
【００１６】
分岐冷媒配管２２、２３、２４はそれぞれ分岐ガス管２２０、２３０、２４０と分岐液管２２１、２３１、２４１とからなる。分岐ガス管２２０、２３０、２４０は分岐ユニット１５の近傍でそれぞれ分岐ガス管継手部２２２、２３２、２４２を備え、分岐液管２２１、２３１、２４１は分岐ユニット３の手前で分岐液管継手部２２３、２３３、２４３を備えており、分岐ガス管継手部２２２、２３２、２４２および分岐液管継手部２２３、２３３、２４３によって、それぞれ室内機側配管１２０、１３０、１４０との接続、取り外しが可能となる。
【００１７】
分岐ガス管２２０、２３０、２４０は直線状に形成され、分岐液管２２１、２３１、２４１は分岐ガス管２２０、２３０、２４０と所定の距離（図４のａ、図１２のａ）を離して下方に配置され、本体部１５０の手前で上方に曲がり、それぞれ分岐ガス管２２０と分岐液管２２１とが一つになり、分岐ガス管２３０と分岐液管２３１とが一つになり、分岐ガス管２４０と分岐液管２４１とが一つになるように、ゴムブッシュ２６によってそれぞれ束ねられ、且つ、分岐冷媒配管２２、２３、２４は互いに４０ｍｍ以上（図１２のｂ）離間した状態で水平に配列されて分岐冷媒配管受入部１５２から本体部１５０に収納される。
また、分岐ガス管継手部２２２と分岐液管継手部２２３、分岐ガス管継手部２３２と分岐液管継手部２３３、分岐ガス管継手部２４２と分岐液管継手部２４３の間は所定の距離（図４のｃ、図１２のｃ）を離間させて重ならないように配置されている。
【００１８】
＜分岐部＞
図５は後述する本体部１５０の下部部品を外し、内部構成を示した図である。配管ユニット２の分岐部２５は、ガス管２１０を分岐ガス管２２０、２３０、２４０に分岐させる分岐配管２７と、分岐ガス管２２０、２３０、２４０にそれぞれ備えた分岐ガス管温度センサー２２４、２３４、２４４と、液管２１１の冷媒を分岐液管２２１、２３１、２４１に分流させる分流器２８と、分岐液管２２１、２３１、２４１の中を流れる冷媒量を調整する電子膨張弁２２５、２３５、２４５と、電子膨張弁２２５、２３５、２４５より室内機１２、１３、１４側に備えられた分岐液管温度センサー２２６、２３６、２４６と、分岐配管２７から分流器２８へ冷媒をバイパスする開閉弁２９とで構成されている。
【００１９】
分岐ガス管温度センサー２２４、２３４、２４４と、分岐液管温度センサー２２６、２３６、２４６には検出した結果を制御基板３０へ送る信号線が接続され、電子膨張弁２２５、２３５、２４５と開閉弁２９には、それぞれを駆動するための配線が接続され、信号線と配線がまとめて結束されたケーブル８０となり電装品箱３の制御基板３０に接続される。
【００２０】
＜本体部＞
図３に示す本体部１５０は、配管ユニット２を内側から順に密閉ケース４と、断熱材ケース５と、ケース６とで挟み込む構成となっている。
【００２１】
＜密閉ケース＞
密閉ケース４は上部密閉ケース４０と下部密閉ケース４１が、水平状の冷媒配管２１および分岐冷媒配管２２、２３、２４の管径の中心に沿って上下に分割し、合成樹脂によって成形されている。
【００２２】
図３と図５に示す上部密閉ケース４０は、配管ユニット２の分岐部２５を収納する収納部４００と、収納部４００の周囲に縁取られて密閉性を保持する縁部４０１からなる。
縁部４０１には、冷媒配管２１を受け入れる冷媒配管受入部１５１と、分岐冷媒配管２２、２３、２４を受け入れる分岐冷媒配管受入部１５２に、配管取付部４０２が配管形状に合わせて半円状に延出されている。配管取付部の左右端には、後述する螺子を取り付けるアンカー４０５が立設されている。
またケーブル（図示せず）を引き出すケーブル引出部４０３も半円状に形成されている。さらに、縁部４０１には収納部４００を囲むように凸リブ４０４が２列で設けられている。凸リブ４０４の上に断熱シール４４（図８参照）が貼着されている。
２列のうち外側に設けられた凸リブ４０４には、後述する螺子を受けるアンカー４０５が間隔を空けて立設されている。アンカー４０５は縁部４０１の四隅にも立設されている。
【００２３】
図３に示す下部密閉ケース４１は、配管ユニット２の分岐部２５を収納する収納部４１０と、収納部４１０の周囲に縁取られて密閉性を保持する縁部４１１からなる。
縁部４１１には、冷媒配管２１と分岐冷媒配管２２、２３、２４とに接する部分に、配管取付部４１２が半円状に形成されるとともに、ケーブル８０を引き出すケーブル引出部４１３が半円状に形成されている。また縁部４１１には、前記凸リブ４０４を受ける凹リブ４１２が設けられている。さらに、前記アンカー４０５に螺着させる螺子孔４１５が設けられている。
【００２４】
＜断熱材ケース＞
断熱材ケース５は、断熱性に優れた発泡スチロールによって形成され、断熱性を高めるため全体に一定の厚さを有している。
図３に示す断熱材ケース５は、冷媒配管受入部１５１と、分岐冷媒配管受入部１５２にあたる部分が、円筒状に突出し、冷媒配管２１および分岐冷媒配管２２、２３、２４の管径の中心に沿って、上部断熱材ケース５０と下部断熱材ケース５１とに分割されている。
【００２５】
上部断熱材ケース５０は、内側の形状を上部密閉ケース４０の外形に合わせて成形されている。また、上部密閉ケース４０のケーブル引出部４０３に合わせケーブル引出用凹部５００が形成され、室外機側からみた左側面には引き出したケーブル８０を電装品箱３に導入するケーブル用側面凹部５０１が形成されている。
【００２６】
下部断熱材ケース５１は、内側の形状を下部密閉ケース４１の外形に合わせて成形されている。また、下部密閉ケース４１のケーブル引出部４１３に合わせケーブル引出用凹部５１０が形成され、室外機側からみた左側面には引き出したケーブル８０を電装品箱３に導入するケーブル用側面凹部５１１が形成されている。さらに下部断熱材ケース５１の底面部にはケーブル用底面凹部５１２が設けられている。ケーブル用底面凹部５１２は後述する下部ケース５１の第１引出口６０４と第２引出口６０５を繋ぐように下部断熱材ケース５１の底面を横断して設けられている。
【００２７】
＜ケース＞
本体部１５０の外郭を構成するケース６は板金を折り曲げ加工されて形成されており、上部ケース６０と下部ケース６１とからなる。
【００２８】
図３に示す上部ケース６０は、室外機側側面部６０ａと、この室外機側側面部６０ａに対向している室内機側側面部６０ｂと、室外機側から見て左側の第１側面部６０ｃと、この第１側面部６０ｃに対向している右側の第２側面部６０ｄと天井面部６０ｅからなる箱体状になっている。
【００２９】
室外機側側面部６０ａと室内機側側面部６０ｂは、それぞれ冷媒配管２１と、分岐冷媒配管２２、２３、２４の管径の中心までの長さがあり、上部断熱材ケース５０の円筒状に合わせて半円形に切り抜いた上部断熱材受部６００を備え、左右端には天井から冷媒分岐ユニット２を吊下げる天吊金具６２が螺着できるように螺子孔を備え、中央には後述する配管吊金具６３が螺着できるように螺子孔を備えている。
【００３０】
第１側面部６０ｃと第２側面部６０ｄとは、本体部底面まで届く長さがあり、左右端の上下４か所に、後述する電装品箱用係止爪３２０によって、電装品箱３を取り付けるための電装品箱用係止孔６０１を備えている。左右端の下に設けた電装品箱用係止孔６０１の位置から下には、後述するダボ用孔６１２に係脱可能に係止されるダボ６０２を備えている。また、ダボ６０２の位置から下で、底面まで回り込ませた螺子取付部６０３を備えている。
【００３１】
第１側面部６０ｃには、室外機側に天井面近傍まである切欠溝でなる第１ケーブル引出口６０４があり、図６に示す第２側面部６０ｄには、室外機側に第２側面部６０ｄの中ほどまである切欠溝でなる第２ケーブル引出口６０５がある。
第１ケーブル引出口６０４、第２ケーブル引出口６０５近傍の天井面部６０ｅ側には後述するケーブル引出口カバー６４が係止されるケーブル引出口カバー用孔６０６を備えている。
【００３２】
下部ケース６１は、室外機側側面部６１ａとこの室外機側側面部６１ａに対向している室内機側側面部６１ｂと底面部６１ｅからなるコの字形状になっている。
室外機側側面部６１ａと室内機側側面部６１ｂは、それぞれ冷媒配管２１と、分岐冷媒配管２２、２３、２４の管径の中心までの長さがあり、下部断熱材ケース５１の円筒状に合わせ半円形に切り抜いた上部断熱材受部６１０を備えている。
下部ケース６１を形成する板金は、底面部６１ｅからその一部が延びて折り曲げられ、室外機側側面部６１ａと室内機側側面部６１ｂにスポット溶接されることで接合されたフランジ部６１１を備えている。
フランジ部６１１には下部ケース６１を組み立てた際、ダボ６０２が係脱可能に係止するようにダボ用孔６１２が設けられている。ダボ用孔６１２に近接する底面部６１ｅには螺子孔を備えている。
【００３３】
＜電装品箱＞
図３および図６に示す電装品箱３は、冷媒分岐ユニット１５を制御する制御基板３０と、電装品箱本体３１と、電装品箱取付板３２と、電装品箱カバー３３とから構成されている。
電装品箱本体３１はコの字形状をした板金でなり、コの字の内側に制御基板３０と、複数の端子台３４が配置されている。電装品箱本体３１の一部にはケーブル８０を導入するケーブル導入孔３１０を備え、ケーブル導入孔３１０に近接した内側には、ケーブル８０を電装品箱本体３１に結束して制御基板３０に導くケーブル導入ガイド３１１を備えている。
電装品箱取付板３２は短冊形でなり、上下対称に２か所内側方向へ向けて折れ曲がった電装品箱用係止爪３２０を備えて、電装品箱本体３１の外側の左右端２か所に溶着されている。
【００３４】
＜組立方法＞
冷媒分岐ユニット１５の組立は、天井から吊下げる据付状態とは天地を逆にして組み立てられる。まず上部ケース６０の天井面部６０ｅを下にして置き、その中に上部断熱材ケース５０を重ねる。上部断熱材ケース５０は上部ケース６０の断熱材受部６００で支えられる。
【００３５】
次に図３、図５、図７に示すように、上部密閉ケース４０を上部断熱材ケース５０に嵌めこむ。そして、配管ユニット２のガス管２１０、液管２１１および分岐冷媒配管２２、２３、２４のゴムブッシュ２６が巻かれている部分を上部密閉ケース４０の配管取付部４０２に嵌めこみ、配管押え９１をゴムブッシュ２６の上から配管取付部４０２に螺子９４で締めて固定する。
次に図７および図８に示すように、ガス管２１０と分岐冷媒配管２３の配管取付部４０２には、上端を上部ケース６０に螺着された配管吊金具６３が、上部断熱材ケース５０をまたがって、配管押え９１の下まで延びており、配管吊金具６３と配管押え９１はまとめて螺子９４で締めて上部密閉ケース４０に固定される。
ケーブル８０は結束具８２で一つに束ねられ、上部密閉ケース４０のケーブル受部４０３から外に引き出される。
【００３６】
この構成により、配管ユニット２は上部ケース４０に配管吊金具６３で固定されることで、冷媒分岐ユニット１５を天井に吊下げて設置した後に、内部の配管や電子膨張弁等のメンテナンスを行う場合には、下部ケース６１と下部断熱材ケース５１と、下部密閉ケース４１を外すことで、配管ユニット２が表れて、冷媒分岐ユニット１５を分解することなくメンテナンスが可能となる。
【００３７】
次に上部密閉ケース４０から突き出した密閉ケース係止爪４０６に合わせて下部密閉ケース４１の密閉ケース係止孔４１６を差し込む。上部密閉ケース４０と下部密閉ケース４１を合わせると、図９に示すように、上部密閉ケース４０の凸リブ４０４に下部密閉ケース４１の凹リブ４１４が断熱シール４４を間にして隙間なく密着される。次に縁部４０１に複数個所あるアンカー４０５に、ネジ孔４１５から螺子９４を螺着する。
図７に示すように下部密閉ケース４１の配管取付部４１２は、上部密閉ケース４０に収まったガス管２１０および液管２１１のゴムブッシュ２６に嵌合され、上部密閉ケース４０の配管取付部４０２に被さらないように構成されていることから、上部密閉ケース４０と下部密閉ケース４１は隙間なく重ね合わされて、内部が密閉状態となる。
内部が密閉状態となることにより、配管ユニット２が空気に触れることがなくなり、ドレン水の発生を防ぐことができる。
【００３８】
次は、下部断熱材ケース５１を下部密閉ケース４１に被せる。この時に、下部密閉ケース４１の他に配管押え９１および配管吊金具６３と螺着した螺子９４も合わせて下部断熱材ケース５１で被着される。これにより、螺子９４への露つきも防げる。
【００３９】
電装品箱３は、上部ケース６０の第１側面部６０ｃおよび第２側面部６０ｄどちらの面にも取り付けられる。室外１１機側から見て右側面の第２側面部６０ｄに取り付ける場合は、図１０（Ａ）（Ｂ）に示すように、ケーブル８０を上部断熱材ケースの引出用凹部５００と、下部断熱材ケースの引出用凹部５１０に沿わせ、ケーブル用底面凹部５１２に導く。ケーブル用底面凹部５１２に導かれたケーブル８０は、ケーブル用底面凹部５１２で折り返して、第２ケーブル引出口６０５から本体部１５０の外へ引き出される。引き出されたケーブル８０は図６に示すように、電装品箱本体１５０のケーブル導入孔３１０から電装品箱３へ導入され、ケーブル導入ガイド３１１で電装品箱本体３１に結束され、電装品箱３の制御基板３０にある複数のコネクター（図示せず）にそれぞれ接続される。ケーブル８０と接続された電装品箱本体３１は、電装品箱本体３１に溶着された電装品箱取付板３２の電装品箱用係止爪３２０を、上部ケース６０の電装品箱用係止孔６０１に差し込む。この時、電装品箱用係止爪は上部の爪がぶら下がっている状態となり仮固定される。次に電装品箱本体３１内側から上部ケース６０に螺子で螺着する。これにより電装品箱用係止爪３２０で仮固定された電装品箱３は固定する。その上に電装品箱カバー３３を被せる。
【００４０】
また、図１１（Ａ）（Ｂ）に示すように、室外機側から見て左側面の第１側面部６０ｃに取り付ける場合は、電装品箱本体３１を天地逆転させて、電装品箱取付板３２の電装品箱用係止爪３２０を、上部ケース６０の係止孔６０１に差し込む。電装品箱本体３１を天地逆転させたことで、ケーブル導入孔３１０は天井側に移動する。
ケーブル用底面凹部５１２に導かれたケーブル８０は、ケーブル用底面凹部５１２を渡り、ケーブル用側面凹部５０１、５１１を通り、第１ケーブル引出口６０４の上方から本体部１５０の外へ引き出され、電装品箱本体１５０のケーブル導入孔３１０から電装品箱へ導入される。
この取付方法により、例えば、施工時に設置する場所に応じて、電装品箱３を付け替える場合においても、ケーブル８０を接続したまま、簡単に差し替えることができる。
【００４１】
次に、ケーブル引出口カバー６４を電装品箱３が設置されない側の第１ケーブル引出口６０４、第２ケーブル引出口６０５のいずれかに取り付ける。ケーブル引出口カバー６４は第１ケーブル引出口６０４よりも長く形成され、ケーブル引出口カバー用孔６０６も第１側面部６０ｃと第２側面部６０ｄの対称の位置に備えられているため、ケーブル引出口カバー６４はどちらの面にも取付られる。ケーブル引出口カバー６４の上部の爪を上部ケース６０のケーブル引出口カバー用孔６０６に係止して、螺子で螺着する。これにより、ケーブル引出口を隠すことができ、美感が向上し、内部への埃の侵入を防げる。
【００４２】
次に下部ケース６１を上部ケース６０に組み付ける。その際、上部ケース６０に備えたダボ６０２を下部ケース６１に備えたダボ用孔６１２に係止することで下部ケース６１を仮固定する。次に上部ケース６０と底面６１ｅにある螺子取付部６０３に螺子９４を螺着して上部ケース６０と下部ケース６１を固定する。
メンテナンス作業時には、螺子取付部６０３に螺着した螺子９４を取り外すが、この時に、螺子９４を外しても、ダボ６０２がダボ用孔６１２に係止していることで下部ケース６１が仮固定されているため、下部ケース６１が不意に落下してしまう虞がない。
前記ダボ６０２にダボ用孔６１２で仮固定しているため、新たな部品を設けずに、仮固定の機能を有することができる。
【００４３】
＜縦置き＞
図１２は、冷媒分岐ユニット１５を縦置きにした状態の図である。また天井に縦に吊下げた時はこの状態とは上下が反転する。縦置き設置、又は天井から縦に吊下げ設置した場合においても、メンテナンス作業は電装品箱３の制御基板３０の交換や修理が必要となることが多いため、電装品箱３を作業者に近い側に設置する必要がある。
電装品箱３に対し、分岐ガス管２２０、２３０、２４０と分岐液管２２１、２３１、２４１は、前記電装品箱３に近接する側から順次長さ（ｄ）を長くして並列に配置するように設置する。
また、互いの分岐冷媒配管２２、２３、２４は４０ｍｍ以上（ｂ）離間して配置されており、分岐液管２２１、２３１、２４１は分岐ガス管２２０、２３０、２４０と所定の距離（ａ）を離してあり、分岐ガス管継手部２２２と分岐液管継手部２２３、分岐ガス管継手部２３２と分岐液管継手部２３３、分岐ガス管継手部２４２と分岐液管継手部２４３の間も所定の距離（ｃ）を離して重ならないように配置されていることから、奥に位置する分岐ガス管２２０と分岐液管２２１から、分岐ガス管２２０と分岐液管２３１、分岐ガス管２４０と分岐液管２４１の順に配管取付を行うことで、従来例のように手前の配管が妨げにならずにスパナを回すことができ、迅速に作業ができる。
【符号の説明】
【００４４】
１  空気調和機
１１  室外機
１２、１３、１４  室内機
１５  冷媒分岐ユニット
２  配管ユニット
２１  冷媒配管
２２、２３、２４  分岐冷媒配管
３  電装品箱
４０  上部密閉ケース
４１  下部密閉ケース
５０  上部断熱材ケース
５１  下部断熱材ケース
６０  上部ケース
６１  下部ケース
６３  配管吊金具
８０  ケーブル
９１  配管押え
９４  螺子
【図１】
0005630102.tif 000002
【図２】
0005630102.tif 000003
【図３】
0005630102.tif 000004
【図４】
0005630102.tif 000005
【図５】
0005630102.tif 000006
【図６】
0005630102.tif 000007
【図７】
0005630102.tif 000008
【図８】
0005630102.tif 000009
【図９】
0005630102.tif 000010
【図１０】
0005630102.tif 000011
【図１１】
0005630102.tif 000012
【図１２】
0005630102.tif 000013